(57)【特許請求の範囲】
【請求項１】
帳票に関する複数のサービスを提供する帳票サービス提供装置を用いた帳票サービス提供システムにおける帳票サービス提供方法であって、
ポータル部が、ポータル画面を経由して前記帳票に関する複数の前記サービスのうちいずれかの前記サービスを指定させ、前記サービスの指定を受け付けるステップと、
業務依頼部が、前記指定が前記帳票の設計に関する依頼である場合、前記依頼の内容を表す情報を取得するステップと、
ワークフロー管理部が、前記指定が前記帳票の設計業務の進捗を示すワークフローの生成である場合、前記依頼の内容に対応した前記ワークフローを生成するステップと、
帳票設計支援部が、前記指定が前記帳票の設計の支援である場合、前記ワークフローに対応付けられた前記帳票の設計に関する情報に基づいて前記帳票を作成するステップと、
資源管理部が、前記指定が前記帳票に関する情報の登録である場合、前記帳票設計支援部によって作成された前記帳票に関する情報を前記ワークフローに対応付けてデータベースに記憶させるステップと、
を含む帳票サービス提供方法。
【請求項２】
クライアントに前記サービスを提供するための端末と前記クライアントの端末とに並列に、前記サービスに関する情報を表示させるステップを含む、請求項１に記載の帳票サービス提供方法。
【請求項３】
提供先を示す情報に基づいて、クライアントに前記サービスを提供するための端末と前記クライアントの端末との少なくとも一方を、前記ワークフローに関する情報の表示先として選択するステップを含む、請求項１に記載の帳票サービス提供方法。
【請求項４】
ポータル画面を経由して帳票に関する複数のサービスのうちいずれかの前記サービスを指定させ、前記サービスの指定を受け付けるポータル部と、
前記指定が前記帳票の設計に関する依頼である場合、前記依頼の内容を表す情報を取得する業務依頼部と、
前記指定が前記帳票の設計業務の進捗を示すワークフローの生成である場合、前記依頼の内容に対応した前記ワークフローを生成するワークフロー管理部と、
前記指定が前記帳票の設計の支援である場合、前記ワークフローに対応付けられた前記帳票の設計に関する情報に基づいて前記帳票を作成する帳票設計支援部と、
前記指定が前記帳票に関する情報の登録である場合、前記帳票設計支援部によって作成された前記帳票に関する情報を前記ワークフローに対応付けてデータベースに記憶させる資源管理部と、
を備える帳票サービス提供システム。
【発明の詳細な説明】
【技術分野】
【０００１】
本発明は、帳票サービス提供方法及び帳票サービス提供システムに関する。
【背景技術】
【０００２】
クライアントから発注された印刷物の修正を容易に行うことを目的とした印刷物受発注システムが、特許文献１に開示されている。特許文献１に開示されている方法では、クライアントの情報端末は、印刷物の原稿データが蓄積されたデータベースにアクセスする。
【先行技術文献】
【特許文献】
【０００３】
【特許文献１】特開２００２−０２４６４７号公報
【発明の概要】
【発明が解決しようとする課題】
【０００４】
しかしながら、従来の方法では、帳票の設計を支援する業務に手戻りが多く発生する場合があった。すなわち、従来の帳票サービス提供方法は、帳票の設計を支援する業務の手戻りを減少させることができないという問題があった。
【０００５】
上記事情に鑑み、本発明は、帳票の設計を支援する業務の手戻りを減少させることが可能である帳票サービス提供方法及び帳票サービス提供システムを提供することを目的としている。
【課題を解決するための手段】
【０００６】
本発明の一態様は、帳票に関する複数のサービスを提供する帳票サービス提供装置を用いた帳票サービス提供システムにおける帳票サービス提供方法であって、ポータル部が、ポータル画面を経由して前記帳票に関する複数の前記サービスのうちいずれかの前記サービスを指定させ、前記サービスの指定を受け付けるステップと、業務依頼部が、前記指定が前記帳票の設計に関する依頼である場合、前記依頼の内容を表す情報を取得するステップと、ワークフロー管理部が、前記指定が前記帳票の設計業務の進捗を示すワークフローの生成である場合、前記依頼の内容に対応した前記ワークフローを生成するステップと、帳票設計支援部が、前記指定が前記帳票の設計の支援である場合、前記ワークフローに対応付けられた前記帳票の設計に関する情報に基づいて前記帳票を作成するステップと、資源管理部が、前記指定が前記帳票に関する情報の登録である場合、前記帳票設計支援部によって作成された前記帳票に関する情報を前記ワークフローに対応付けてデータベースに記憶させるステップと、を含む帳票サービス提供方法である。
【０００７】
本発明の一態様は、上記の帳票サービス提供方法であって、クライアントに前記サービスを提供するための端末と前記クライアントの端末とに並列に、前記サービスに関する情報を表示させるステップを含む帳票サービス提供方法である。
【０００８】
本発明の一態様は、上記の帳票サービス提供方法であって、提供先を示す情報に基づいて、クライアントに前記サービスを提供するための端末と前記クライアントの端末との少なくとも一方を、前記ワークフローに関する情報の表示先として選択するステップを含む帳票サービス提供方法である。
【０００９】
本発明の一態様は、ポータル画面を経由して帳票に関する複数のサービスのうちいずれかの前記サービスを指定させ、前記サービスの指定を受け付けるポータル部と、前記指定が前記帳票の設計に関する依頼である場合、前記依頼の内容を表す情報を取得する業務依頼部と、前記指定が前記帳票の設計業務の進捗を示すワークフローの生成である場合、前記依頼の内容に対応した前記ワークフローを生成するワークフロー管理部と、前記指定が前記帳票の設計の支援である場合、前記ワークフローに対応付けられた前記帳票の設計に関する情報に基づいて前記帳票を作成する帳票設計支援部と、前記指定が前記帳票に関する情報の登録である場合、前記帳票設計支援部によって作成された前記帳票に関する情報を前記ワークフローに対応付けてデータベースに記憶させる資源管理部と、を備える帳票サービス提供システムである。
【発明の効果】
【００１０】
本発明により、帳票サービス提供方法は、帳票の設計を支援する業務の手戻りを減少させることが可能となる。
【図面の簡単な説明】
【００１１】
【図１】帳票サービス提供システムの構成の例を示す図である。
【図２】帳票サービス提供システムの動作概要の例を示すフローチャートである。
【図３】業務依頼部の構成の例を示す図である。
【図４】顧客側端末における、個人ポータル画像の表示の例を示す図である。
【図５】顧客側端末における、業務ポータル画像の表示の例を示す図である。
【図６】顧客側端末における、業務依頼画像の表示の例を示す図である。
【図７】業者側端末における、個人ポータル画像の表示の例を示す図である。
【図８】業者側端末における、業務ポータル画像の表示の例を示す図である。
【図９】ワークフロー部の構成の例を示す図である。
【図１０】顧客側端末における、ワークフロー画像の表示の例を示す図である。
【図１１】業者側端末における、ワークフロー画像の表示の例を示す図である。
【図１２】帳票設計支援部の構成の例を示す図である。
【図１３】顧客側端末における、帳票設計支援画像の表示の例を示す図である。
【図１４】業者側端末における、帳票設計支援画像の表示の例を示す図である。
【図１５】資源管理部の構成の例を示す図である。
【図１６】顧客側端末における、資源管理画像の表示の例を示す図である。
【図１７】業者側端末における、資源管理画像の表示の例を示す図である。
【発明を実施するための形態】
【００１２】
本発明の実施形態について、図面を参照して詳細に説明する。
図１は、帳票サービス提供システム１の構成の例を示す図である。帳票サービス提供システム１は、帳票に関する複数のサービスを連携させて提供するシステムである。
【００１３】
帳票サービス提供システム１は、業務依頼受付サービスと、ワークフロー生成サービスと、帳票作成サービスと、資源管理サービスとを提供する。業務依頼受付サービスは、帳票の設計を支援する依頼を受け付けるサービスである。ワークフロー生成サービスは、依頼の内容に対応したワークフローを生成するサービスである。ワークフローは、作業又は承認の工程を示す情報である。すなわち、ワークフローは、設計業務の進捗や承認状況を示す情報である。帳票作成サービスは、ワークフローに対応付けられた帳票の設計に関する情報に基づいて帳票を作成するサービスである。資源管理サービスは、作成された帳票に関する情報をワークフローに対応付けてデータベースに記憶させるサービスである。帳票に関する情報は、例えば、担当者情報、コンテンツ情報（資源管理情報）である。コンテンツ情報とは、例えば、帳票の画像（コンテンツ画像）情報、帳票のレイアウト情報、帳票の仕様情報（仕様書）である。
【００１４】
帳票に関する複数のサービスは、帳票の設計の支援を依頼した企業 (以下、「クライアント企業」という。）（発注者）に提供される。また、帳票に関する複数のサービスは、帳票の設計を支援するサービスを提供する企業(以下、「サービス提供企業」という。）（受託者）にも提供される。これによって、帳票サービス提供システム１は、クライアント企業とサービス提供企業との間の双方向のコミュニケーション（Interactive Communication）を実現することができる。
【００１５】
帳票サービス提供システム１は、顧客側端末１０と、インターネット回線２０と、中継装置３０と、負荷分散装置４０と、ローカル通信回線５０と、ウェブサーバ装置６０と、業者側端末７０と、アプリケーションサーバ装置８０と、データベースサーバ装置９０とを備える。ウェブサーバ装置６０とアプリケーションサーバ装置８０とデータベースサーバ装置９０とのうち少なくとも二つを組み合わせて帳票サービス提供装置を構成してもよい。
【００１６】
顧客側端末１０は、パーソナルコンピュータ装置、タブレット端末、スマートフォン端末等の情報処理装置である。顧客側端末１０は、複数でもよい。顧客側端末１０は、表示部と、操作部とを備える。表示部は、例えば、液晶ディスプレイである。操作部は、例えば、キーボード、タッチパネル、マウスである。顧客側端末１０は、クライアント企業（顧客）側の端末（クライアントの端末）である。顧客側端末１０は、クライアント企業の業務担当者によって操作される。顧客側端末１０では、ウェブブラウザが動作する。
【００１７】
顧客側端末１０は、インターネット回線２０及び中継装置３０を介して、ウェブサーバ装置６０と通信する。また、顧客側端末１０は、インターネット回線２０及び中継装置３０を介して、アプリケーションサーバ装置８０及びデータベースサーバ装置９０と通信してもよい。以下、ウェブサーバ装置６０とアプリケーションサーバ装置８０とデータベースサーバ装置９０とをまとめて、「サーバ装置群」という。
【００１８】
顧客側端末１０は、ログインするための認証情報を、ウェブサーバ装置６０に送信する。認証情報は、例えば、企業コード、ログインＩＤ、パスワードである。クライアント企業の担当者は、顧客側端末１０の表示部に表示されたポータル画面を経由して、提供を受けたいサービスを指定する。顧客側端末１０は、指定されたサービスを示す情報を、ウェブサーバ装置６０に送信する。
【００１９】
顧客側端末１０は、指定されたサービスが業務依頼受付サービスである場合、例えば、依頼の内容に関する情報を、ウェブサーバ装置６０との間で通信する。依頼の内容に関する情報は、例えば、新規に帳票を設計する依頼に関する情報、帳票のレイアウトを作成する依頼に関する情報、帳票の画像を新規に作成する依頼に関する情報、コンテンツ情報をバージョン又はフェーズ（局面）ごとに管理する依頼に関する情報等である。フェーズは、例えば、月単位で表される。
【００２０】
顧客側端末１０は、指定されたサービスがワークフロー生成サービスである場合、例えば、承認又は否認を示す情報をサーバ装置群との間で通信する。顧客側端末１０は、指定されたサービスが帳票作成サービス又は資源管理サービスである場合、例えば、帳票の画像情報と帳票の仕様情報とを、サーバ装置群との間で通信する。
【００２１】
インターネット回線２０は、顧客側端末１０と中継装置３０との間の通信を中継する。インターネット回線２０には、顧客側端末１０以外の情報処理装置が更に接続されていてもよい。
【００２２】
中継装置３０は、通信装置である。中継装置３０は、電子証明書に基づいて暗号化された通信データを中継してもよい。中継装置３０は、実在するクライアント企業から送信された通信データであるか否かを、通信データに基づいて確認してもよい。中継装置３０は、例えば、ファイヤーウォールによって通信を監視する。例えば、中継装置３０は、予め定められたＩＰアドレスからのアクセスのみを受け付ける。これによって、中継装置３０は、インターネット回線２０を介した攻撃からサーバ装置群を保護することができる。
【００２３】
負荷分散装置４０（ロードバランサ）は、中継装置３０とサーバ装置群との間の通信の負荷を分散させる。これによって、負荷分散装置４０は、ウェブサーバ装置６０とアプリケーションサーバ装置８０とデータベースサーバ装置９０とのいずれかに処理負荷が集中することを防ぐことができる。
【００２４】
ローカル通信回線５０は、中継装置３０とサーバ装置群との間の通信を中継する。ローカル通信回線５０は、業者側端末７０とサーバ装置群との間の通信を中継する。ローカル通信回線５０は、例えば、ローカル・エリア・ネットワーク（Local Area Network）である。
【００２５】
ウェブサーバ装置６０は、情報処理装置である。ウェブサーバ装置６０は、インタフェース６１と、業務依頼部６２と、ワークフロー部６３と、メモリ６４とを備える。インタフェース６１と業務依頼部６２とワークフロー部６３との一部または全部は、例えば、ＣＰＵ（Central Processing Unit）等のプロセッサが、メモリ６４に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部（回路）であってもよい。
【００２６】
インタフェース６１は、予め定められたプロトコルに基づいて通信する。プロトコルは、例えば、ＴＣＰ／ＩＰ（Transmission Control Protocol／Internet Protocol）である。インタフェース６１は、中継装置３０と業者側端末７０とアプリケーションサーバ装置８０とデータベースサーバ装置９０との通信を実行する。
【００２７】
インタフェース６１は、ログインするための認証情報を表す画像を、顧客側端末１０に送信する。インタフェース６１は、帳票に関する複数のサービスを連携させて提供するための画像（以下、「ポータル画像」という。）を、ログインした顧客側端末１０に送信する。ログインした顧客側端末１０に送信されたポータル画像は、顧客側端末１０の表示部に、ポータル画面として表示される。ポータル画像は、操作キーを表す画像を含む。操作キーは、複数でもよい。ポータル画像は、プルダウン形式等のメニューを表す画像を含んでもよい。ポータル画像は、検索用のウィンドウを表す画像を含んでもよい。ポータル画像は、表形式の画像を含んでもよい。
【００２８】
インタフェース６１は、ログインするための認証情報を表す画像を、業者側端末７０に送信する。インタフェース６１は、ポータル画像を、ログインした業者側端末７０に送信する。ログインした業者側端末７０に送信されたポータル画像は、業者側端末７０の表示部に、ポータル画面として表示される。
【００２９】
インタフェース６１は、業務依頼部６２による制御に応じて、依頼の内容に関する情報を、顧客側端末１０及び業者側端末７０に送信する。インタフェース６１は、顧客側端末１０と業者側端末７０とに並列に、サービスに関する情報を表示させる。インタフェース６１は、ワークフロー部６３による制御に応じて、ワークフローに関する情報を、顧客側端末１０及び業者側端末７０に送信する。ワークフローに関する情報は、例えば、帳票の設計業務の進捗や承認状況を示す情報である。ワークフローに関する情報は、例えば、設計業務又は承認の経路（ルート）を示す情報でもよい。
【００３０】
業務依頼部６２は、指定されたサービスが業務依頼受付サービスであることを示す情報を顧客側端末１０から取得した場合、帳票の設計を支援する依頼の内容を、顧客側端末１０から受け付ける。業務依頼部６２は、受け付けた依頼の内容を表す情報を、サービス提供企業の営業担当者の業者側端末７０に送信する。業務依頼部６２は、依頼の内容が記載された電子メールを、サービス提供企業の営業担当者の業者側端末７０に送信してもよい。業務依頼部６２は、営業担当者（代理元）の代理先の業者側端末７０に、受け付けた依頼の内容を表す情報を送信してもよい。営業担当者の代理先は、業務依頼部６２に対して業者側端末７０から指示された代理先設定に基づいて定められる。
【００３１】
業務依頼部６２は、ワークフローの最終承認が得られた場合、最終承認が得られたことによってワークフローが完了したことを通知するための電子メールを、顧客側端末１０に送信してもよい。業務依頼部６２は、業者側端末７０に送信された電子メールを、カーボン・コピー（Carbon Copy）によって顧客側端末１０にも送信してよい。業務依頼部６２は、依頼の内容に応じて依頼（物件）ごとに、閲覧権限を担当者に定めてもよい。閲覧権限は、例えば、コンテンツ情報やワークフローを閲覧する権限である。
【００３２】
これによって、クライアント企業の担当者は、インターネット回線２０を介して、サービス提供企業の営業担当者に対して、帳票に関する依頼を行うことができる。また、クライアント企業の担当者は、依頼の内容をカスタマイズすることができる。
【００３３】
なお、業務依頼部６２（コンタクトシステム）は、顧客側端末１０から送信を要求された情報を、顧客側端末１０に送信してもよい。顧客側端末１０から送信を要求された情報は、例えば、出荷状況情報、印刷工程における状況情報、業務の進捗情報、通常の運用における作業の状況情報、通常以外の運用における作業の状況情報である。通常以外の運用とは、例えば、帳票の現物の抜き取り検査である。業務依頼部６２は、顧客側端末１０から送信を要求された情報を、例えばデータベースサーバ装置９０から取得する。
【００３４】
ワークフロー部６３は、指定されたサービスがワークフロー生成サービスであることを示す情報を業者側端末７０から取得した場合、業者側端末７０から取得した情報に基づいてワークフローを生成する。ワークフロー部６３は、指定されたサービスがワークフロー生成サービスであることを示す情報を顧客側端末１０から取得した場合、顧客側端末１０から取得した情報に基づいてワークフローを生成してもよい。例えば、ワークフロー部６３は、定例化されている業務のワークフローについて、顧客側端末１０から取得した情報に基づいてワークフローを生成してもよい。
【００３５】
ワークフローは、階層ごとに生成される。階層は、例えば、企業階層と、業務階層と、フェーズ階層とである。企業階層は、クライアント企業に対応付けられた階層である。企業階層は、最も高い階層である。業務階層は、「プリント一括業務委託」等の業務に対応付けられた階層である。業務階層は、企業階層の次に高い階層である。フェーズ階層は、「７月更新分」等のフェーズに対応付けられた階層である。フェーズ階層は、業務階層の次に高い階層である。
【００３６】
ワークフロー部６３は、生成されたワークフローに関する情報を、サービス提供企業の担当者（関係者）の業者側端末７０に送信する。例えば、ワークフロー部６３は、帳票の設計業務の進捗を示す情報を、業者側端末７０に送信する。例えば、ワークフロー部６３は、帳票の設計業務の承認状況を示す情報を、業者側端末７０に送信する。例えば、ワークフロー部６３は、設計業務又は承認の経路を示す情報を、業者側端末７０に送信する。サービス提供企業の担当者は、例えば、帳票の画像を作成する担当者、仕様情報に基づいて帳票の画像を検証する担当者、帳票の画像を再検査する担当者である。
【００３７】
ワークフロー部６３は、サービス提供企業におけるワークフローの経路を定める。ワークフロー部６３は、クライアント企業の担当者とサービス提供企業の担当者とを経由するように、ワークフローの経路を定めてもよい。これによって、サービス提供企業の担当者は、生成されたワークフローに関する情報を、承認又は否認することができる。また、クライアント企業の担当者は、生成されたワークフローに関する情報を、承認又は否認することができる。したがって、クライアント企業の担当者及びサービス提供企業の担当者は、互いの相手側の進捗状況も含め、業務全体の進捗を容易に把握することができる。
【００３８】
メモリ６４は、磁気ハードディスク装置や半導体記憶装置等の不揮発性の記憶媒体（非一時的な記録媒体）を有する記憶装置を用いて構成される。メモリ６４は、例えば、ＲＡＭ（Random Access Memory）やレジスタなどの揮発性の記憶媒体を有していてもよい。メモリ６４は、クラウドコンピューティング技術によってデータを記憶してもよい。
【００３９】
業者側端末７０は、パーソナルコンピュータ装置、タブレット端末、スマートフォン端末等の情報処理装置である。業者側端末７０は、複数でもよい。業者側端末７０は、表示部と、操作部とを備える。業者側端末７０は、サービス提供企業（業者）側の管理端末である。すなわち、業者側端末７０は、クライアント（顧客）にサービスを提供するための端末である。業者側端末７０は、サービス提供企業の担当者によって操作される。業者側端末７０では、ウェブブラウザが動作する。業者側端末７０は、ログインするための認証情報を、ウェブサーバ装置６０に送信する。業者側端末７０は、依頼の内容に関する情報と、承認又は否認を示す情報と、帳票の仕様に関する情報と、帳票の画像とを、サーバ装置群との間で通信する。
【００４０】
アプリケーションサーバ装置８０は、情報処理装置である。アプリケーションサーバ装置８０は、帳票の設計を支援するためのアプリケーションプログラムを実行する。アプリケーションサーバ装置８０は、インタフェース８１と、帳票設計支援部８２と、データベース８３と、メモリ８４とを備える。インタフェース８１と帳票設計支援部８２との一部または全部は、例えば、ＣＰＵ等のプロセッサが、メモリ８４に記憶されたプログラムを実行することにより機能するソフトウェア機能部である。また、これらの機能部のうち一部または全部は、ＬＳＩやＡＳＩＣ等のハードウェア機能部（回路）であってもよい。
【００４１】
インタフェース８１は、予め定められたプロトコルに基づいて通信する。インタフェース８１は、中継装置３０と業者側端末７０とウェブサーバ装置６０とデータベースサーバ装置９０との通信を実行する。インタフェース８１は、顧客側端末１０と業者側端末７０とに並列に、サービスに関する情報を表示させる。インタフェース８１は、設計された帳票に関する情報を、帳票設計支援部８２による制御に応じて顧客側端末１０に送信する。インタフェース８１は、設計された帳票に関する情報を、帳票設計支援部８２による制御に応じて業者側端末７０に送信する。
【００４２】
インタフェース８１は、帳票設計支援部８２による制御に応じて、顧客側端末１０にテンプレート情報を送信する。インタフェース８１は、帳票設計支援部８２による制御に応じて、業者側端末７０にテンプレート情報を送信する。テンプレート情報は、帳票のレイアウト情報である。帳票のレイアウトは、例えば、帳票において印字が禁止されている領域や文字サイズを示す。印字が禁止されている領域とは、帳票の印字可能領域のうち、クライアント企業側が文字や画像等をレイアウトすることができる領域として割り当てられていない領域である。例えば、印字が禁止されている領域は、サービス提供企業側が定める２次元コードが印刷可能な領域として割り当てられた領域である。テンプレート情報は、帳票ごとに顧客側端末１０に提供される。インタフェース８１は、テンプレート情報をメニュー形式で指定可能に提供してもよい。
【００４３】
帳票設計支援部８２は、指定されたサービスが帳票設計サービスであることを示す情報を顧客側端末１０又は業者側端末７０から取得した場合、帳票を作成する。帳票設計支援部８２は、顧客側端末１０又は業者側端末７０から取得した指示情報に基づいて、帳票を作成する。帳票設計支援部８２は、顧客側端末１０又は業者側端末７０から取得した指示情報に基づいて、帳票のテンプレート情報を顧客側端末１０に提供する。
【００４４】
帳票設計支援部８２は、顧客側端末１０又は業者側端末７０から取得した指示情報に基づいて、帳票の設計を代行する（帳票設計代行）。帳票設計支援部８２は、顧客側端末１０又は業者側端末７０から取得した指示情報に基づいて、帳票のレイアウトを変更してもよい。帳票設計支援部８２は、顧客側端末１０又は業者側端末７０から取得した指示情報に基づいて、帳票の画像を差し替えてもよい。
【００４５】
これによって、帳票設計支援部８２は、クライアント企業の担当者が帳票を設計することを支援することができる。帳票設計支援部８２は、プリンタに制約が定められている場合でも、クライアント企業の帳票の画像をテンプレート情報に基づいて設計することができる。
【００４６】
データベース８３は、磁気ハードディスク装置や半導体記憶装置等の不揮発性の記憶媒体（非一時的な記録媒体）を有する記憶装置を用いて構成される。データベース８３は、例えば、ＲＡＭやレジスタなどの揮発性の記憶媒体を有していてもよい。データベース８３は、クラウドコンピューティング技術によって情報を記憶してもよい。データベース８３は、例えば、帳票に関するテンプレート情報を記憶する。
【００４７】
メモリ８４は、ＲＡＭやレジスタなどの揮発性の記憶媒体である。メモリ８４には、帳票に関するアプリケーションプログラムが展開される。アプリケーションプログラムは、顧客側端末１０及び業者側端末７０の少なくとも一方による操作に基づいて帳票の画像情報等を設計するプログラムである。アプリケーションプログラムは、テンプレートに基づいて帳票の画像情報等を設計するためのプログラムでもよい。
【００４８】
データベースサーバ装置９０は、情報処理装置である。データベースサーバ装置９０は、インタフェース９１と、資源管理部９２と、データベース９３と、メモリ９４とを備える。インタフェース９１と資源管理部９２との一部または全部は、例えば、ＣＰＵ等のプロセッサが、メモリ９４に記憶されたプログラムを実行することにより機能するソフトウェア機能部である。また、これらの機能部のうち一部または全部は、ＬＳＩやＡＳＩＣ等のハードウェア機能部（回路）であってもよい。
【００４９】
インタフェース９１は、予め定められたプロトコルに基づいて通信する。インタフェース９１は、中継装置３０と業者側端末７０とウェブサーバ装置６０とアプリケーションサーバ装置８０との通信を実行する。インタフェース９１は、顧客側端末１０と業者側端末７０とに並列に、サービスに関する情報を表示させる。インタフェース９１は、設計された帳票に関する情報を、顧客側端末１０又は資源管理部９２による制御に応じて、顧客側端末１０に送信する。インタフェース９１は、設計された帳票に関する情報を、業者側端末７０又は資源管理部９２による制御に応じて、業者側端末７０に送信する。
【００５０】
資源管理部９２は、指定されたサービスが資源管理サービスであることを示す情報を顧客側端末１０又は業者側端末７０から取得した場合、設計された帳票に関する情報を、ワークフローに対応付けてデータベース９３に記憶させる。資源管理部９２は、クライアント企業の担当者がサービス提供企業の支援を受けずに設計した帳票に関する情報を、データベース９３に記憶させてもよい。
【００５１】
これによって、資源管理部９２は、帳票に関する情報をバージョン又はフェーズごとにデータベース９３に記憶させることができる。すなわち、資源管理部９２は、帳票に関する情報の履歴を管理することができる。資源管理部９２は、ワークフローにおいて承認された帳票に関する情報を、データベース９３に記憶させることができる。
【００５２】
データベース９３は、磁気ハードディスク装置や半導体記憶装置等の不揮発性の記憶媒体（非一時的な記録媒体）を有する記憶装置を用いて構成される。データベース９３は、例えば、ＲＡＭやレジスタなどの揮発性の記憶媒体を有していてもよい。データベース９３は、クラウドコンピューティング技術によって情報を記憶してもよい。
【００５３】
データベース９３は、設計された帳票に関する情報を記憶する。設計された帳票に関する情報は、例えば、帳票の画像（コンテンツ画像）、帳票のレイアウト情報、帳票の仕様情報である。帳票の画像は、例えば、ＰＤＦ（Portable Document Format）の形式で作成されてもよい。帳票に関する情報は、バージョン又はフェーズごとに記憶される。データベース９３は、帳票に関する情報に対応付けられた文書情報（ドキュメント情報）を記憶してもよい。データベース９３は、帳票に関する情報に対応付けられた属性情報を記憶してもよい。
【００５４】
メモリ９４は、ＲＡＭやレジスタなどの揮発性の記憶媒体である。メモリ９４には、帳票の仕様に関する情報とワークフローに関する情報とが、データベース９３から展開される。
【００５５】
図２は、帳票サービス提供システム１の動作概要の例を示すフローチャートである。まず、顧客側端末１０について説明する。顧客側端末１０は、ウェブブラウザによってインターネット回線２０を介して、ウェブサーバ装置６０にログインする（ステップＳ１０１）。ウェブサーバ装置６０は、顧客側端末１０からの要求に応じて、ポータル画面を顧客側端末１０の表示部に表示させる（ステップＳ１０２）。
【００５６】
顧客側端末１０は、操作部を介して指定されたサービスを示す情報を、ポータル画面を経由してウェブサーバ装置６０に送信する。ウェブサーバ装置６０は、指定されたサービスを示す情報が業務依頼受付サービス又はワークフロー生成サービスのいずれかを示すか否かを判定する（ステップＳ１０３）。指定されたサービスを示す情報が業務依頼受付サービス又はワークフロー生成サービスのいずれかを示す場合（ステップＳ１０３：ＹＥＳ）、ウェブサーバ装置６０は、指定されたサービスを示す情報が業務依頼受付サービスを示すか否かを判定する（ステップＳ１０４）。
【００５７】
指定されたサービスを示す情報が業務依頼受付サービスを示す場合（ステップＳ１０４：ＹＥＳ）、ウェブサーバ装置６０は、業務依頼に関するサービスを顧客側端末１０に提供する（ステップＳ１０５）。指定されたサービスを示す情報がワークフロー生成サービスを示す場合（ステップＳ１０４：ＮＯ）、ウェブサーバ装置６０は、ワークフローに関するサービスを顧客側端末１０に提供する（ステップＳ１０６）。
【００５８】
指定されたサービスを示す情報が業務依頼受付サービス又はワークフロー生成サービスのいずれも示していない場合（ステップＳ１０３：ＮＯ）、ウェブサーバ装置６０は、指定されたサービスを示す情報が帳票設計支援サービスを示すか否かを判定する（ステップＳ１０７）。指定されたサービスを示す情報が帳票設計支援サービスを示す場合（ステップＳ１０７：ＹＥＳ）、ウェブサーバ装置６０は、帳票設計支援に関するサービスを顧客側端末１０に提供する（ステップＳ１０８）。指定されたサービスを示す情報が資源管理サービスを示す場合（ステップＳ１０７：ＮＯ）、ウェブサーバ装置６０は、資源管理に関するサービスを、顧客側端末１０に提供する（ステップＳ１０９）。
【００５９】
帳票サービス提供システム１は、業者側端末７０についても同様に動作する。すなわち、業者側端末７０は、ウェブブラウザによってローカル通信回線５０を介して、ウェブサーバ装置６０にログインする（ステップＳ１０１）。ウェブサーバ装置６０は、業者側端末７０からの要求に応じて、ポータル画面を業者側端末７０の表示部に表示させる（ステップＳ１０２）。
【００６０】
業者側端末７０は、操作部を介して指定されたサービスを示す情報を、ポータル画面を経由してウェブサーバ装置６０に送信する。ウェブサーバ装置６０は、指定されたサービスを示す情報が業務依頼受付サービス又はワークフロー生成サービスのいずれかを示すか否かを判定する（ステップＳ１０３）。指定されたサービスを示す情報が業務依頼受付サービス又はワークフロー生成サービスのいずれかを示す場合（ステップＳ１０３：ＹＥＳ）、ウェブサーバ装置６０は、提供を受けたいサービスを示す情報が業務依頼受付サービスを示すか否かを判定する（ステップＳ１０４）。
【００６１】
指定されたサービスを示す情報が業務依頼受付サービスを示す場合（ステップＳ１０４：ＹＥＳ）、ウェブサーバ装置６０は、業務依頼に関するサービスを業者側端末７０に提供する（ステップＳ１０５）。指定されたサービスを示す情報がワークフロー生成サービスを示す場合（ステップＳ１０４：ＮＯ）、ウェブサーバ装置６０は、ワークフローに関するサービスを業者側端末７０に提供する（ステップＳ１０６）。
【００６２】
指定されたサービスを示す情報が業務依頼受付サービス又はワークフロー生成サービスのいずれも示していない場合（ステップＳ１０３：ＮＯ）、ウェブサーバ装置６０は、指定されたサービスを示す情報が帳票設計支援サービスを示すか否かを判定する（ステップＳ１０７）。指定されたサービスを示す情報が帳票設計支援サービスを示す場合（ステップＳ１０７：ＹＥＳ）、ウェブサーバ装置６０は、帳票設計支援に関するサービスを業者側端末７０に提供する（ステップＳ１０８）。指定されたサービスを示す情報が資源管理サービスを示す場合（ステップＳ１０７：ＮＯ）、ウェブサーバ装置６０は、資源管理に関するサービスを、業者側端末７０に提供する（ステップＳ１０９）。
【００６３】
次に、ウェブサーバ装置６０の業務依頼部６２の構成の例を説明する。
図３は、業務依頼部６２の構成の例を示す図である。業務依頼部６２は、ポータル部６２０と、製造検討依頼部６２１と、各種切替依頼部６２２と、月間スケジュール調整部６２３と、部門間打合調整依頼部６２４と、業務スケジュール変更依頼部６２５と、製品仕様変更依頼部６２６とを備える。ポータル部６２０は、業務依頼部６２と別体でもよい。
【００６４】
ポータル部６２０は、顧客側端末１０又は業者側端末７０から取得した情報に基づいて、業務依頼部６２の各部を制御する。ポータル部６２０は、ログインするための認証情報に基づいて、顧客側端末１０又は業者側端末７０の認証処理を実行する。
【００６５】
ポータル部６２０は、ログインした顧客側端末１０からの要求に応じて、ポータル画面として顧客側端末１０に表示させるためのポータル画像を送信する。ポータル部６２０は、ログインした業者側端末７０からの要求に応じて、ポータル画面として業者側端末７０に表示させるためのポータル画像を送信する。
【００６６】
ポータル部６２０は、帳票に関する複数のサービスのうちいずれかのサービスを、ポータル画面を経由して指定させる。ポータル画像には、個人ポータル画像と、業務ポータル画像とがある。個人ポータル画像は、担当者に対応付けられた業務依頼、ワークフロー、帳票設計及び代理先設定を表すポータル画像である。業務ポータル画像は、担当者が所属する組織に対応付けられた業務依頼、ワークフロー、帳票設計、資源管理を表すポータル画像である。
【００６７】
図４は、顧客側端末１０における、個人ポータル画像の表示の例を示す図である。個人ポータル画像は、業務ポータルタブ１００と、個人ポータルタブ１０１とを含む。顧客側端末１０は、操作部に対する操作によって業務ポータルタブ１００が指定された場合、個人ポータル画像を隠して業務ポータル画像を表示する。個人ポータル画像は、進捗状況サマリーと、お知らせへのリンクと、業務依頼（作業待ち）へのリンクと、ワークフロー（作業待ち）へのリンクと、帳票設計（設計中）へのリンクとを含む。個人ポータル画像には、担当者が対応すべき業務依頼、ワークフロー又は帳票設計などが抽出される。
【００６８】
顧客側端末１０は、操作部に対する操作によって操作キー１０２「業務依頼作業待ち」が指定された場合、業務依頼に関するサービスを提供する。顧客側端末１０は、操作部に対する操作によって操作キー１０３「ワークフロー作業待ち」が指定された場合、ワークフローに関するサービスを提供する。顧客側端末１０は、操作部に対する操作によって操作キー１０４「帳票設計作業待ち」が指定された場合、帳票設計に関するサービスを提供する。顧客側端末１０は、操作部に対する操作によって操作キー１０５「代理先設定」が指定された場合、代理先設定に関するサービスを提供する。顧客側端末１０は、操作部に対する操作によって操作キー１０６「代理元確認」が指定された場合、代理元確認に関するサービスを提供する。
【００６９】
図５は、顧客側端末１０における、業務ポータル画像の表示の例を示す図である。業務ポータル画像は、業務ポータルタブ１００と、個人ポータルタブ１０１とを含む。顧客側端末１０は、操作部に対する操作によって個人ポータルタブ１０１が指定された場合、業務ポータル画像を隠して個人ポータル画像を表示する。
【００７０】
顧客側端末１０は、操作部に対する操作によって操作キー１０７「業務依頼新規作成」又は操作キー１０８「業務依頼一覧」が指定された場合、業務依頼に関するサービスを提供する。顧客側端末１０は、操作部に対する操作によって操作キー１０９「ワークフロー新規作成」又は操作キー１１０「ワークフロー一覧」が指定された場合、ワークフローに関するサービスを提供する。顧客側端末１０は、操作部に対する操作によって操作キー１１１「帳票設計新規作成」又は操作キー１１２「帳票設計一覧」が指定された場合、帳票設計に関するサービスを提供する。顧客側端末１０は、操作部に対する操作によって操作キー１１３「資源管理」が指定された場合、資源管理に関するサービスを提供する。すなわち、顧客側端末１０は、操作部に対する操作によって操作キー「資源管理」が指定された場合、帳票に関する情報をワークフローに対応付けてデータベース９３に記憶させるサービスを提供する。
【００７１】
図６は、顧客側端末１０における、業務依頼画像の表示の例を示す図である。顧客側端末１０は、操作部に対する操作によって操作キー１０７「業務依頼新規作成」が指定された場合、業務依頼画像を表示する。業務依頼画像は、依頼対象に関する情報と、依頼の内容に関する共通情報と、依頼の内容に関するカテゴリ別の情報と、コメントとを含む。
【００７２】
図７は、業者側端末７０における、個人ポータル画像の表示の例を示す図である。業者側端末７０は、操作部に対する操作によって業務ポータルタブ１００が指定された場合、個人ポータル画像を隠して業務ポータル画像を表示する。個人ポータル画像は、進捗状況サマリーと、お知らせへのリンクと、業務依頼（作業待ち）へのリンクと、ワークフロー（作業待ち）へのリンクと、帳票設計（設計中）へのリンクとを含む。
【００７３】
業者側端末７０は、操作部に対する操作によって操作キー１０２「業務依頼作業待ち」が指定された場合、業務依頼に関するサービスを提供する。業者側端末７０は、操作部に対する操作によって操作キー１０３「ワークフロー作業待ち」が指定された場合、ワークフローに関するサービスを提供する。業者側端末７０は、操作部に対する操作によって操作キー１０４「帳票設計作業待ち」が指定された場合、帳票設計に関するサービスを提供する。業者側端末７０は、操作部に対する操作によって操作キー１０５「代理先設定」が指定された場合、代理先設定に関するサービスを提供する。業者側端末７０は、操作部に対する操作によって操作キー１０６「代理元確認」が指定された場合、代理元確認に関するサービスを提供する。
【００７４】
図８は、業者側端末７０における、業務ポータル画像の表示の例を示す図である。業者側端末７０は、操作部に対する操作によって個人ポータルタブ１０１が指定された場合、業務ポータル画像を隠して個人ポータル画像を表示する。
【００７５】
業者側端末７０は、操作部に対する操作によって操作キー１０７「業務依頼新規作成」又は操作キー１０８「業務依頼一覧」が指定された場合、業務依頼に関するサービスを提供する。業者側端末７０は、操作部に対する操作によって操作キー１０９「ワークフロー新規作成」又は操作キー１１０「ワークフロー一覧」が指定された場合、ワークフローに関するサービスを提供する。業者側端末７０は、操作部に対する操作によって操作キー１１１「帳票設計新規作成」又は操作キー１１２「帳票設計一覧」が指定された場合、帳票設計に関するサービスを提供する。業者側端末７０は、操作部に対する操作によって操作キー１１３「資源管理」が指定された場合、資源管理に関するサービスを提供する。すなわち、業者側端末７０は、操作部に対する操作によって操作キー１１３「資源管理」が指定された場合、帳票に関する情報をワークフローに対応付けてデータベース９３に記憶させるサービスを提供する。
【００７６】
図３に示す製造検討依頼部６２１は、顧客側端末１０又は業者側端末７０から取得した情報に基づいて、帳票の現物の製造に関する検討を依頼する。各種切替依頼部６２２は、顧客側端末１０又は業者側端末７０から取得した情報に基づいて、帳票の画像に重ねるための画像（以下、「オーバーレイ画像」という。）を切り替えることを依頼する。各種切替依頼部６２２は、顧客側端末１０又は業者側端末７０から取得した情報に基づいて、アプリケーションサーバ装置８０が実行するアプリケーションプログラムを切り替えることを依頼する。各種切替依頼部６２２は、顧客側端末１０又は業者側端末７０から取得した情報に基づいて、帳票を新たな帳票に切り替えることを依頼する。なお、これらの依頼カテゴリは例である。依頼カテゴリは、顧客に合わせて増減されてもよい。
【００７７】
月間スケジュール調整部６２３は、顧客側端末１０又は業者側端末７０から取得した情報に基づいて、帳票に関する月間のスケジュールを調整すること依頼する。部門間打合調整依頼部６２４は、顧客側端末１０又は業者側端末７０から取得した情報に基づいて、クライアント企業の担当者とサービス提供企業の担当者との打ち合わせの日程を調整することを依頼する。業務スケジュール変更依頼部６２５は、顧客側端末１０又は業者側端末７０から取得した情報に基づいて、データ受領日時又は納期等の業務スケジュールを変更することを依頼する。製品仕様変更依頼部６２６は、顧客側端末１０又は業者側端末７０から取得した情報に基づいて、仕様又は納品先を変更することを依頼する。
【００７８】
次に、ウェブサーバ装置６０のワークフロー部６３の構成の例を説明する。
図９は、ワークフロー部６３の構成の例を示す図である。ワークフロー部６３は、ワークフロー管理部６３０と、オーバーレイ作成業務部６３１と、本番検証部６３２と、画像新規登録部６３３と、外字新規登録部６３４と、メッセージ登録部６３５と、印字位置修正部６３６と、製品仕様書校了部６３７と、テスト検証品校了部６３８と、抜取業務部６３９と、校正資源登録部６４０とを備える。
【００７９】
ワークフロー管理部６３０は、ワークフロー部６３の各部を制御する。ワークフロー管理部６３０は、サービスの提供先を示す情報を、業者側端末７０から取得してもよい。サービスの提供先は、例えば、ポータル画面を経由して指定される。サービスの提供先とは、例えば、サービスに関する情報の表示先である。
【００８０】
ワークフロー管理部６３０は、サービスの提供先を示す情報が業者側端末７０を示す場合、ワークフローに関する情報等を、業者側端末７０にのみ提供する。ワークフロー管理部６３０は、サービスの提供先を示す情報が顧客側端末１０を示す場合、ワークフローに関する情報等を、顧客側端末１０にのみ提供する。ワークフロー管理部６３０は、サービスの提供先を示す情報が顧客側端末１０及び業者側端末７０を示す場合には、ワークフローに関する情報等を、顧客側端末１０及び業者側端末７０の両方に提供する。
【００８１】
オーバーレイ作成業務部６３１は、オーバーレイ画像を作成するためのワークフローを生成する。本番検証部６３２は、帳票を検証するためのワークフローを生成する。画像新規登録部６３３は、帳票の画像を追加又は更新するためのワークフローを生成する。外字新規登録部６３４は、帳票に記載される外字を追加又は更新するためのワークフローを生成する。メッセージ登録部６３５は、帳票の設計に関するメッセージを含むワークフローを生成する。印字位置修正部６３６は、帳票における印字の位置を修正するためのワークフローを生成する。
【００８２】
製品仕様書校了部６３７は、帳票の仕様書の校了を通知するためのワークフローを生成する。テスト検証品校了部６３８は、テスト用の帳票について検証品の校了を通知するためのワークフローを生成する。抜取業務部６３９は、帳票のデータ又は現物の抜き取り検査を依頼するためのワークフローを生成する。校正資源登録部６４０は、印刷資源である帳票の校正結果の登録を依頼するためのワークフローを生成する。生成されたワークフローに関する情報は、顧客側端末１０及び業者側端末７０のうち少なくとも一方に送信される。なお、これらのワークフローの種類は例である。ワークフローの種類は、顧客に合わせて増減されてもよい。また、ワークフローのフローは、業務ごとに定められる。ワークフローのフローとは、例えば、設計業務又は承認の経路（ルート）である。
【００８３】
図１０は、顧客側端末１０における、ワークフロー画像の表示の例を示す図である。顧客側端末１０は、操作部に対する操作によって操作キー１０３「ワークフロー作業待ち」、操作キー１０９「ワークフロー新規作成」又は操作キー１１０「ワークフロー一覧」が指定された場合、ワークフロー画像を表示する。
【００８４】
ワークフロー画像は、クライアント企業ワークフロー欄２００と、サービス提供企業ワークフロー欄２０１とを含む。クライアント企業ワークフロー欄２００は、クライアント企業におけるワークフローを表示するための欄である。サービス提供企業ワークフロー欄２０１は、サービス提供企業におけるワークフローを表示するための欄である。
【００８５】
ワークフローは、ノード及びリンクを用いて表されてもよい。ノードは、作業又は承認を示す。リンクは、作業又は承認の経路を示す。図１０に示すように、ワークフローは、サービス提供企業とクライアント企業とを横断するように定められてもよい。
【００８６】
ワークフロー部６３は、サービスの提供先を示す情報を、業者側端末７０から取得してもよい。ワークフロー部６３は、サービスの提供先を示す情報に基づいて、顧客側端末１０と業者側端末７０との少なくとも一方を、ワークフローに関する情報の表示先として選択する。例えば、ワークフロー部６３は、顧客側端末１０と業者側端末７０との少なくとも一方において、ワークフローに関する情報をノード単位で非表示にしてもよい（非表示機能）。例えば、ワークフロー部６３は、顧客側端末１０と業者側端末７０との少なくとも一方が、ノードを示す画像を操作できないようにしてもよい。すなわち、ワークフロー部６３は、顧客側端末１０と業者側端末７０との少なくとも一方に対して、ワークフローに関する操作をノード単位で禁止してもよい（ロック機能）。ワークフローに関する操作とは、例えば、作業を承認するための操作である。図１０では、ノードを示す画像は、例えば、「開始」を表す画像、「０１＿ＦＤＬ作成依頼」を表す画像、「０２＿コンパイル依頼」を表す画像、「０３＿コンパイル結果連絡」を表す画像、「０４＿コンパイル結果確認」を表す画像、「０５＿再査終了連絡」を表す画像である。
【００８７】
図１１は、業者側端末７０における、ワークフロー画像の表示の例を示す図である。業者側端末７０は、操作部に対する操作によって操作キー１０３「ワークフロー作業待ち」、操作キー１０９「ワークフロー新規作成」又は操作キー１１０「ワークフロー一覧」が指定された場合、ワークフロー画像を表示する。図１１に示すように、承認のためのワークフローは、クライアント企業の担当者に対して定められてもよい。
【００８８】
次に、アプリケーションサーバ装置８０の帳票設計支援部８２の構成の例を説明する。
図１２は、帳票設計支援部８２の構成の例を示す図である。帳票設計支援部８２は、帳票設計部８２０と、テンプレート管理部８２１とを備える。
【００８９】
帳票設計部８２０は、帳票の設計を支援するためのアプリケーションプログラムを実行する。帳票設計部８２０は、顧客側端末１０又は業者側端末７０から取得した情報に基づいて、印刷された場合と同じ外観の帳票の画像を作成する。帳票設計部８２０は、印刷された場合と同じ外観の帳票の画像を、プリンタの制約に基づくシミュレーションによって作成する。帳票設計部８２０は、データベース８３に記憶されている帳票のテンプレート情報に基づいて、帳票の画像を作成してもよい。
【００９０】
テンプレート管理部８２１は、顧客側端末１０又は業者側端末７０から取得した情報に基づいて、帳票のテンプレート情報をデータベース８３から取得する。テンプレート管理部８２１は、帳票のテンプレート情報を帳票設計支援部８２に送信する。
【００９１】
図１３は、顧客側端末１０における、帳票設計支援画像の表示の例を示す図である。顧客側端末１０は、操作部に対する操作によって操作キー１０４「帳票設計作業待ち」又は操作キー１１１「帳票設計新規作成」が指定された場合、帳票設計支援画像を表示する。帳票設計支援画像は、帳票の設計を支援するために表示される画像である。
【００９２】
クライアント企業の担当者は、表示された帳票設計支援画像を見ながら顧客側端末１０の操作部を操作することによって帳票のレイアウトを定めて、帳票の画像を作成する。これによって、クライアント企業の担当者は、印刷された場合と同じ外観の帳票の画像を見ながら帳票のレイアウトを定めて、帳票の画像を作成することができる。帳票の画像（コンテンツ画像）情報や帳票のレイアウト情報等のコンテンツ情報は、ワークフローに対応付けられてデータベース９３に登録される。帳票の画像情報や帳票のレイアウト情報は、例えば、ＰＤＦの形式で登録される。
【００９３】
図１４は、業者側端末７０における、帳票設計支援画像の表示の例を示す図である。業者側端末７０は、操作部に対する操作によって操作キー１０４「帳票設計作業待ち」又は操作キー１１１「帳票設計新規作成」が指定された場合、帳票設計支援画像を表示する。
【００９４】
サービス提供企業の担当者は、表示された帳票設計支援画像を見ながら業者側端末７０の操作部を操作することによって、クライアント企業の担当者が設計した帳票の画像を修正する。これによって、サービス提供企業の担当者は、印刷された場合と同じ外観の帳票の画像を見ながら、帳票の画像を修正することができる。サービス提供企業の担当者は、表示された帳票設計支援画像を見ながら業者側端末７０の操作部を操作することによって、帳票の画像の作成を代行してもよい。
【００９５】
次に、アプリケーションサーバ装置８０の帳票設計支援部８２の構成の例を説明する。
図１５は、資源管理部９２の構成の例を示す図である。資源管理部９２は、版下管理部９２０と、外字管理部９２１と、フォント・オーバーレイ管理部９２２と、帳票管理部９２３と、仕様書管理部９２４とを備える。
【００９６】
版下管理部９２０は、顧客側端末１０又は業者側端末７０から取得した情報に基づいて、帳票の版下の画像をワークフローに対応付けてデータベース９３に記憶させる。外字管理部９２１は、顧客側端末１０又は業者側端末７０から取得した情報に基づいて、帳票に記載される外字の画像をワークフローに対応付けてデータベース９３に記憶させる。
【００９７】
フォント・オーバーレイ管理部９２２は、顧客側端末１０又は業者側端末７０から取得した情報に基づいて、帳票に記載される文字の画像をフォントごとにワークフローに対応付けてデータベース９３に記憶させる。フォント・オーバーレイ管理部９２２は、顧客側端末１０又は業者側端末７０から取得した情報に基づいて、オーバーレイ画像をワークフローに対応付けてデータベース９３に記憶させる。
【００９８】
帳票管理部９２３は、顧客側端末１０又は業者側端末７０から取得した情報に基づいて、帳票の画像をワークフローに対応付けてデータベース９３に記憶させる。仕様書管理部９２４は、顧客側端末１０又は業者側端末７０から取得した情報に基づいて、帳票の仕様情報をワークフローに対応付けてデータベース９３に記憶させる。
【００９９】
図１６は、顧客側端末１０における、資源管理画像の表示の例を示す図である。顧客側端末１０は、操作部に対する操作によって操作キー１１３「資源管理」が指定された場合、資源管理画像を表示する。資源管理画像は、帳票に関する情報へのリンクを表示するための画像である。帳票に関する情報は、例えば、帳票の画像情報、帳票のレイアウト情報、帳票の仕様情報、帳票のテンプレート情報、帳票の版下情報である。帳票の画像は、帳票の版下画像や、帳票に記載される外字の画像を含んでもよい。資源管理画像は、帳票に関する情報が記憶されるフォルダの場所を表すツリー画像を含むことができる。資源管理画像は、帳票の画像と、承認の状態と、ファイル更新者と、ファイル更新日とが対応付けられた表形式の画像を含んでもよい。
【０１００】
図１７は、業者側端末７０における、資源管理画像の表示の例を示す図である。業者側端末７０は、操作部に対する操作によって操作キー１１３「資源管理」が指定された場合、資源管理画像を表示する。
【０１０１】
以上のように、実施形態の帳票サービス提供システム１（統合帳票基盤システム）（帳票サービス提供装置）は、ポータル部６２０と、業務依頼部６２と、ワークフロー管理部６３０と、帳票設計支援部８２と、資源管理部９２とを備える。ポータル部６２０は、ポータル画面を経由して帳票に関する複数のサービスのうちいずれかのサービスを指定させ、サービスの指定を受け付ける。業務依頼部６２は、指定が帳票の設計に関する依頼である場合、依頼の内容を表す情報を取得する。ワークフロー管理部６３０は、指定が帳票の設計業務の進捗を示すワークフローの生成である場合、依頼の内容に対応したワークフローを生成する。帳票設計支援部８２は、指定が帳票の設計の支援である場合、ワークフローに対応付けられた帳票の設計に関する情報に基づいて帳票を作成する。資源管理部９２は、指定が帳票に関する情報の登録である場合、帳票設計支援部によって作成された帳票に関する情報をワークフローに対応付けてデータベースに記憶させる。
【０１０２】
この構成によって、ポータル部６２０は、ポータル画面を経由して帳票に関する複数のサービスのうちいずれかのサービスを指定させ、サービスの指定を受け付ける。これによって、帳票サービス提供システム１は、帳票の設計を支援する業務の手戻りを減少させることが可能である。
【０１０３】
帳票サービス提供システム１は、プリンタ（印刷機）に定められた制約をシミュレーションしながら、帳票のオーバーレイ設計やデータ印字設計を実行する。プリンタに定められた制約とは、例えば、書体の制約、文字サイズの制約、印刷可能領域等の制約である。これによって、帳票サービス提供システム１は、帳票審査に関する設計作業と社内承認を効率化することができる。
【０１０４】
帳票サービス提供システム１は、帳票の設計を支援するサービス提供企業とクライアント企業との間で、双方向の通信を実行することができる。帳票サービス提供システム１は、クライアント企業が複数であっても、帳票の設計を支援する業務の手戻りを減少させることが可能である。帳票サービス提供システム１は、帳票の設計を支援するサービス提供企業とクライアント企業との間で、帳票のレイアウトの校了までのやりとりの回数を削減することができる。
【０１０５】
帳票サービス提供システム１は、クライアント企業向けの帳票を、企画段階から運用開始までのワークフロー（承認フロー）を一元管理することができる。帳票サービス提供システム１は、帳票のレイアウト及びコンテンツ画像のワークフローを生成することができる。帳票サービス提供システム１は、複数の担当者又は部署にまたがるワークフローを生成することができる。
【０１０６】
帳票サービス提供システム１は、クライアント企業内の業務フローについて、ワークフローを生成してもよい。例えば、帳票サービス提供システム１は、クライアント企業内のシステム部門の業務フローについて、ワークフローを生成してもよい。クライアント企業内のシステム部門は、クライアント企業において帳票（ＰＤＦの形式の帳票、仕様書）の審査や承認を行う部門である。クライアント企業内のシステム部門の担当者は、クライアント企業内の事務企画部門の担当者の顧客側端末１０を介して、サービス提供企業のウェブサーバ装置６０に見積依頼を送信してもよい。
【０１０７】
帳票サービス提供システム１は、クライアント企業（発注者）の担当者とサービス提供企業（受託者）の担当者との間で共通のレイアウトの帳票を見ることによって、帳票を設計することができる。帳票サービス提供システム１は、帳票の設計に詳しくないクライアント企業の担当者を支援することによって、クライアント企業の担当者に帳票を容易に設計させることができる。帳票サービス提供システム１は、帳票の設計者と承認者とに共通のワークフローを提示するので、業務が手戻りした場合でも短時間で帳票を修正させることができる。帳票サービス提供システム１は、印刷機の制約や作業工程におけるレイアウトの制約を予めテンプレート情報として用意するので、帳票を設計する初期フェーズから、制約を担当者に意識させることができる。
【０１０８】
帳票サービス提供システム１は、コンテンツ情報をバージョン又はフェーズごとにデータベース９３に記憶させることができる。帳票サービス提供システム１は、クライアント企業（発注者）の担当者とサービス提供企業（受託者）の担当者との間で帳票の設計に関する認識を共通化させるので、コンテンツ情報に関する問い合わせ回数及び返答期間を削減することができる。帳票サービス提供システム１は、帳票が印刷された場合の画像（出力イメージ）を、顧客側端末１０の表示部と業者側端末７０の表示部とに表示させることができる。
【０１０９】
帳票サービス提供システム１は、クライアント企業（発注者）の担当者が表計算ソフトやプレゼンテーションのアプリケーションソフトウェアを使用して帳票を設計しなくても、帳票の設計を支援することができる。帳票サービス提供システム１は、クライアント企業（発注者）の担当者が表計算ソフトやプレゼンテーションのアプリケーションソフトウェアを使用して設計した帳票の画像を取得してもよい。帳票サービス提供システム１は、クライアント企業の担当者が表計算ソフトを使用して設計した帳票の画像を、帳票設計支援部８２が実行するアプリケーションプログラム（社内ツール）が使用する形式にデータ変換してもよい。帳票設計支援部８２は、コンテンツ情報をＸＭＬファイルに変換してもよい。
【０１１０】
帳票サービス提供システム１は、帳票のユーザー中心設計（UCD: User-centered design）の環境を提供することができる。帳票サービス提供システム１は、データ・プリント・サービスの印字内容をメニュー形式で提供することによって、データ・プリント・サービスをコモディティ化することができる。
【０１１１】
上述した実施形態における帳票サービス提供システム（帳票サービス提供装置）、サーバ装置群の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【０１１２】
以上、この発明の実施形態について図面を参照して詳述してきたが、具体的な構成はこの実施形態に限られるものではなく、この発明の要旨を逸脱しない範囲の設計等も含まれる。
【符号の説明】
【０１１３】
１…帳票サービス提供システム、１０…顧客側端末、２０…インターネット回線、３０…中継装置、４０…負荷分散装置、５０…ローカル通信回線、６０…ウェブサーバ装置、６１…インタフェース、６２…業務依頼部、６３…ワークフロー部、６４…メモリ、７０…業者側端末、８０…アプリケーションサーバ装置、８１…インタフェース、８２…帳票設計支援部、８３…データベース、８４…メモリ、９０…データベースサーバ装置、９１…インタフェース、９２…資源管理部、９３…データベース、９４…メモリ、１００…業務ポータルタブ、１０１…個人ポータルタブ、１０２…操作キー、１０３…操作キー、１０４…操作キー、１０５…操作キー、１０６…操作キー、１０７…操作キー、１０８…操作キー、１０９…操作キー、１１０…操作キー、１１１…操作キー、１１２…操作キー、１１３…操作キー、２００…クライアント企業ワークフロー欄、２０１…サービス提供企業ワークフロー欄、６２０…ポータル部、６２１…製造検討依頼部、６２２…各種切替依頼部、６２３…月間スケジュール調整部、６２４…部門間打合調整依頼部、６２５…業務スケジュール変更依頼部、６２６…製品仕様変更依頼部、６３０…ワークフロー管理部、６３１…オーバーレイ作成業務部、６３２…本番検証部、６３３…画像新規登録部、６３４…外字新規登録部、６３５…メッセージ登録部、６３６…印字位置修正部、６３７…製品仕様書校了部、６３８…テスト検証品校了部、６３９…抜取業務部、６４０…校正資源登録部、８２０…帳票設計部、８２１…テンプレート管理部、９２０…版下管理部、９２１…外字管理部、９２２…フォント・オーバーレイ管理部、９２３…帳票管理部、９２４…仕様書管理部
【図１】
0006590148.tif 000002
【図２】
0006590148.tif 000003
【図３】
0006590148.tif 000004
【図４】
0006590148.tif 000005
【図５】
0006590148.tif 000006
【図６】
0006590148.tif 000007
【図７】
0006590148.tif 000008
【図８】
0006590148.tif 000009
【図９】
0006590148.tif 000010
【図１０】
0006590148.tif 000011
【図１１】
0006590148.tif 000012
【図１２】
0006590148.tif 000013
【図１３】
0006590148.tif 000014
【図１４】
0006590148.tif 000015
【図１５】
0006590148.tif 000016
【図１６】
0006590148.tif 000017
【図１７】
0006590148.tif 000018